(57)【特許請求の範囲】
【請求項１】
次の構成を備える、吸入作動の供給装置。
（ａ）噴霧薬剤を入れるためのものであり、調量供給弁を含む缶容器を備え、さらに、その缶容器に入った前記薬剤の所定用量を患者が吸入するための吸入手段をもつハウジング手段。
（ｂ）前記缶容器は、前記ハウジング手段の中に移動可能にあり、前記所定用量を噴霧することによって供給するようになっている。
（ｃ）前記缶容器と協同し、前記患者が前記吸入手段を通して吸入することに応じて前記缶容器を動かし、前記供給装置を始動させ、そこから所定用量の噴霧を放出させる手段。
（ｄ）前記ハウジング手段の中にあり、前記調量供給弁が前記薬剤の所定用量を補充するのに充分な時間の間、前記缶容器を保持するドエル手段であって、
（ｄ１）前記缶容器の前記調量供給弁の側を受け入れるドエル室本体を含み、
（ｄ２）前記ドエル室本体には、前記缶容器の前記調量供給弁の側がはまり合うドエル室があり、そのはまり合いによって生じる真空抵抗により、前記缶容器を前記充分な時間の間ドエル状態に保持することができる、ドエル手段。
【請求項２】
前記噴霧を放出させる前に、前記ドエル手段から空気を取り除くための手段をさらに備える、請求項１の供給装置。
【請求項３】
前記ドエル手段が、前記缶容器を前記充分な時間の間保持するために、前記缶容器を捕らえる前記ドエル室として働く第１のドエル室を含む、請求項１の供給装置。
【請求項４】
前記ドエル手段が、前記第１のドエル室に隣り合う第２のドエル室をさらに備える、請求項３の供給装置。
【請求項５】
前記の各室を前記ドエル室本体の外側に通気する手段を含む、請求項４の供給装置。
【請求項６】
前記通気手段が、前記ドエル室本体の外側から前記の各室へと向かう空気の流れを禁止し、それとは逆方向の流れを許す一方向チェック弁を含む、請求項５の供給装置。
【請求項７】
前記通気手段が、エラストマ−のスリ−ブ弁を含む、請求項５の供給装置。
【請求項８】
弁をもつエアゾル容器とともに使用する、吸入作動の供給装置であって、前記弁は前記容器の出口からエアゾルを供給するためのものであり、その弁は中空なステムをもち、そのステムは前記容器に対して可動であり、伸びて閉じた状態と、患者の吸入に応じて押し縮まり弁から放出可能な状態とになり、さらに、次の構成を備える、吸入作動の供給装置。
（ａ）マウスピ−スと、それを通して前記マウスピ−スまで続く空気通路とをもち、前記エアゾル容器を受け入れ、かつ移動可能に保持するハウジング。
（ｂ）前記ハウジングの中にあり、前記ステムおよび通しオリフィスを受け入れ、前記ステムと前記空気通路との間をオリフィスを通して連絡する手段をもつノズルシ−ト。
（ｃ）前記エアゾルの前記所定用量を供給するように前記供給装置を作動させるための作動器手段であって、拘束された状態と開放された状態とに動く部分をもつ第２のラッチ部材を備えており、前記部分が前記拘束された状態にあるときには、前記容器および前記ノズルシ−トに互いに向かって影響する力が加わるとき、前記容器と前記ノズルシ−トとの間の動きを妨げ、また、前記部分が前記開放された状態にあるときには、前記マウスピ−スおよび前記通路を通して患者が吸入することに応じて、前記容器と前記ノズルシ−トとは、前記力に応答して互いに前記ステムをその押し縮まり放出可能な状態に動かすことができる。
（ｄ）前記第２のラッチ部材がその開放状態にあるとき、前記ステムをその押し縮まり放出可能な状態にするドエル期間を作り出すドエル手段であって、
（ｄ１）前記缶容器の前記弁の側を受け入れるドエル室本体を含み、
（ｄ２）前記ドエル室本体には、前記缶容器の前記弁の側がはまり合うドエル室があり、そのはまり合いによって生じる真空抵抗により、前記缶容器を前記ドエル期間の間ドエル状態に保持することができる、ドエル手段。
【請求項９】
前記作動器手段が、次の構成を備える、請求項８に示す供給装置。
・室の下部を定める容器作動器であり、その室は吸入管を通して前記マウスピースに連絡し、また、前記容器作動器は、前記容器に接触し、前記第２のラッチ部材とは別の第１のラッチ部材が開放状態にあるとき、前記容器を前記ノズルシ−トに向けて動かす。
・前記室の上部を定めるダイヤフラムであり、前記第１のラッチ部材と協同するリンク装置に対して回転可能に取り付けられ、そのダイヤフラムは、患者が吸入することに応じて、前記第１のラッチ部材をその開放状態に動かして前記容器作動器が前記容器を前記ノズルシ−トに向けて動かす。
【請求項１０】
前記リンク装置が、次の構成を備える、請求項９に示す供給装置。
・前記第１のラッチ部材と協同する止め金があり、前記止め金は、前記ハウジングに回転可能に取り付けられ、かつ前記第１のラッチ部材を拘束するように結合し、しかもまた、前記止め金は、前記ダイヤフラムに回転可能に取り付けられ、そのダイヤフラムと一緒に動き前記第１のラッチ部材を前記止め金から開放する。
【請求項１１】
前記リンク装置によって回転可能な駆動部材と、前記駆動部材に回転可能に取り付けられた駆動ア−ムをさらに備え、その駆動ア−ムが前記駆動部材を通して前記容器作動器に力を加えることにより前記容器を動かす、請求項１０に示す供給装置。
【請求項１２】
前記ドエル期間の前に、前記ドエル手段から空気を取り除くための手段をさらに備える、請求項８の供給装置。
【請求項１３】
前記ドエル手段が、前記容器を前記充分な時間の間保持するために、前記容器を捕らえる前記ドエル室として働く第１のドエル室を含む、請求項１２の供給装置。
【請求項１４】
前記ドエル手段が、前記第１のドエル室に隣り合う第２のドエル室をさらに備える、請求項１３の供給装置。
【請求項１５】
前記の各室を前記ドエル室本体の外側に通気する手段を含む、請求項１４の供給装置。
【請求項１６】
前記通気手段が、前記ドエル室本体の外側から前記の各室へと向かう空気の流れを禁止し、それとは逆方向の流れを許す一方向チェック弁を含む、請求項１５の供給装置。
【請求項１７】
前記通気手段が、エラストマ−のスリ−ブ弁を含む、請求項１５の供給装置。
【発明の詳細な説明】
【０００１】
発明の背景
１．発明の分野
この発明は、呼吸作動の装置に関する。その装置は、特に、缶容器を含む噴霧薬剤をもつ吸入器に代表される装置であり、作動によって所定用量の薬剤を患者に放出する。
【０００２】
２．関連技術の説明
噴霧薬剤を放出する吸入装置には、いろいろなものがあり、スプレーで連続して放出したり、あるいは、所定用量と称する予め定めた量の薬剤を放出し、患者の口、鼻の部分あるいは呼吸路に直接噴霧する。一般に、これらの装置は、使用者の指から加わる圧、ボタン操作、あるいは他の関連の手動の方法によって作動される。また、使用者が吸い込むことにより作動する装置もあるが、今のところ、簡単で安価な信頼性のある呼吸作動の装置は、ほとんど開発されていない。
【０００３】
いろいろな薬品会社が、口、鼻の部分あるいは呼吸路に吸入する薬剤が入った所定用量の噴霧容器を製造している。所定用量エアゾル噴霧器は、用量が定まらないスプレーと多くの部分が同じであり、異なるのは、弁を押し下げた時に連続したスプレーが放出されないことである。その代りに、所定用量がスプレーとして放出され、薬剤の決まった量が放出される。そのような所定用量吸入器の例について、発明の名称“所定用量吸入器”として１９９６年８月１３日発行のＵＳＰ第５，５４４，６４７号、発明の名称“流体分配のためのカウンター”のＵＳＰ第５，６２２，１６３号、および発明の名称“所定用量吸入器の撹拌装置”として１９９９年２月１日出願のＵＳ特許出願第０９／２４１，０１０号（同じ者に譲渡）がある。それらが示す内容を、引用によってここに組み入れる。このタイプの装置は、他の事柄については大変満足することができるが、操作については改良が求められる。
【０００４】
手動で作動する吸入装置に用いる噴霧薬剤（エアゾル剤）には、しばしば薬物の体積分の空気が混じり、薬物の吸入の間、患者に空気を送るようにする。また、噴霧薬剤をスプレ−で連続的に得ることもでき、弁あるいはノズルピンを押し下げる限りスプレ−は連続して噴霧される。
【０００５】
これらの手動で作動する装置を適正に用いるためには、吸入サイクルの最初にスプレーを起こすことが必要であり、それにより、薬剤が口やのどに堆積するよりも肺の中に運ばれるようにする。もし、この作動が吸入相と正しく整合しないと、所定用量が作動ごとに異なり、薬剤（製品）の治療力および安全性が損なわれるおそれがある。呼吸作動の装置は、この問題を解消するよう助け、薬剤を呼吸路に予定どおり分配し供給する上で整合が容易であり、しかも患者に都合が良い。
【０００６】
老人や小児に関連する使用者の固有の能力から体に障害をもつ患者にわたり、整合がうまくいかない多くの要因がある。喘息患者やＣＯＰＤ患者、その他の呼吸疾患をもつ患者に対して、正しく正確に薬剤を供給することが必要であることを知るなら、信頼性のある呼吸作動の装置によって、彼らの生活の質を改善することができるであろう。
【０００７】
発明のサマリー
この発明は、患者の口に入れるマウスピ−スをもつハウジングの中に備える噴霧薬剤のための、所定用量分配装置である。缶容器と協同する機械的な作動器機構（ａｃｔｕａｔｏｒ  ｍｅｃｈａｎｉｓｍ）が備わり、その作動器機構は最初はロックされた状態にあり、患者が吸入することにより、缶容器から所定用量の薬物を噴霧し、マウスピ−スから患者に供給する。所定用量については、缶容器と結びついた調量弁によって得る。ドエル手段が備わることによって、所定用量を完全に放出することができ、また、その放出の後で次の用量を調量弁に完全に満たすことができる。
【０００８】
好適な実施例の詳細な説明
さて、図面をさらに詳しく見ると、そこには、呼吸作動の装置つまり所定用量吸入装置であり、時に供給装置（ディスペンサ−）と言われるものが符号７０で示されている。
【０００９】
供給装置７０は、エアゾル容器つまり缶容器７３を入れたハウジング７２を備える。缶容器７３には、薬剤、たとえばビクロメタゾン（ｂｅｃｌｏｍｅｔｈａｓｏｎｅ）、ジプロピオン酸塩（ｄｉｐｒｏｐｉｏｎａｔｅ）、コ−チゾン（ｃｏｒｔｉｓｏｎｅ）、エピネフリン（ｅｐｉｎｅｐｈｒｉｎｅ）、エリスロマイシン（ｅｒｙｔｈｒｏｍｙｃｉｎ）、また、プラシ−ボや液体プロペラント、たとえば１，１，１，２−テトラフルオロエタン（ＨＦＣ−１３４ａ）、１，１，１，２，３，３，３−ヘプタフルオロプロパン（ＨＦＣ−２２７）あるいは目的に適った他のプロペラントが入っている。ハウジング７２は、アルミニウムなどの金属、あるいはＡＢＳ、ポリプロピレン、ポリエチレンなどのプラスチック、さらには、目的に適った他の材料で作ることができる。吸入装置７０の製造に際してハウジング７２をプラスチック材料で成形するのが好ましい。缶容器７３は一般の耐圧容器であり、これもアルミニウムなどの金属、ＡＢＳ、ポリプロピレンなどのプラスチック、あるいは、その他の材料で作ることができる。供給装置７０を使い捨て可能なものにしようとするならば、プラスチック材料が好ましい。
【００１０】
缶容器７３の一端には、所定用量の薬剤を供給するための調量供給弁７４があり、薬剤は缶容器７３から中空のバルブステム７６を通りノズル７７に至る。ノズル７７の反対端に出口７８があり、出口７８のある部分は一般的なスペ−サ（図示しない）に連絡している（オプションで）。バルブステム７６は、通常は充気状態（チャ−ジ状態）で伸びた形態（図１Ａ）にあるが、押し下げると（図１Ｄ）、缶容器７３から弁７６を通して薬剤の噴霧流を放出し供給する。ここで、弁７４には、ステム７６に力を加える内部スプリング（図示しない）があり、それによって装置７０が薬剤の放出前にはステム７６は伸び、薬剤の放出後には元の位置に戻る。
【００１１】
ノズル７７は、ポリエチレン、ポリプロピレンなどから通常作られ、バルブステム７６の開口７５に位置を合わせるように中央に配置される。ステム７６を押し下げるとき、所定用量の薬剤は、缶容器７３から弁７４を通しその開口７５から供給される。
【００１２】
操作をすると、薬剤は、缶容器７３から弁７４およびステム７６を通してノズル７７の中に入り、その出口７８からマウスピ−ス７９に入っていく。マウスピ−ス７９は、ハウジング７２の端部に一体に構成することもできるし、別に取り付けることもできる。マウスピ−ス７９には、薬剤を施すため患者の口（図示しない）に入れる開口部分８１がある。供給される所定用量の薬剤は、ノズル７７を通り、スペ−サ（図示しない）があるときにはスペ−サに入り、マウスピ−ス７９の中に入り、開口部分８１から出て患者の口および肺に入っていく。
【００１３】
必要とするエアゾルスプレ−に応じて、どのようなノズル７７をも用いることができる。熟練した職人は、薬剤のエアゾルスプレ−の加速を含め、特定の形あるいは流れを得るために、特定のノズルを選択することができる。
【００１４】
１９９９年５月２０日出願のＵＳ特許出願第６０／１３５，０５６号が示す渦ノズル、その内容のすべてを引用によってここに組み入れるが、その渦ノズルを用いるのが好ましい。また、当業者であれば、前に述べた特許および出願が示す所定用量の計量の技術的事項についても、この発明に含ませることができることは自明であろう。
【００１５】
ハウジング７２は、ステム７６を下にして缶容器７３を入れる部屋８４を備える。また、ハウジング７２は、ＬＤＰＥ（低密度ポリエチレン）、ポリプロピレン、あるいは目的に適った他の材料によって作り出すドエル室本体８２を含む。ドエル室本体８２には、開口オリフィス８３に連絡する弁７４およびステム７６をもつ容器７３が入る。オリフィス８３は、薬剤がステム７６からノズル７７およびその出口７８を通り、また、スペ−サ（図示しない）があるときにはスペ−サを通り、マウスピ−ス開口部分８１に直接動くように働く。
【００１６】
図１を参照すると、ドエル室本体８２は、弁７４、ステム７６がスライドするように入り、そこに保持されるような輪郭であり、周辺を取り囲む縁（リップ）８６が上部にある。供給装置７０は、ハンドル（図示しない）によって作動あるいは始動の準備ができる。これが作動器機構あるいは手段９０（図３参照）を始動させ、それによって、ステム７６を押し下げ、弁から所定用量の薬剤が供給し放出されるようにする。作動器機構９０と協同するドエル室本体８２は、容器７３、弁７４およびステム７６を所望時間、たとえば約１０ミリセカンド（ｍｓ）から約４秒の間、押し下げた状態に保つように働く。そのため、調量弁が薬剤を放出するに対し、充分な時間がある。バルブステム７６が伸びた形態に戻ると、調量弁は、次の用量を貯え、次の放出の用意ができる。
【００１７】
それがドエル状態において、ドエル室本体８２は、缶容器７３の表面８０に対し、ドエル室本体８２のリング表面８８から距離があり、第１の大きさの上部ドエル室９１およびそれよりも小さな第２の大きさの下部ドエル室９４を作っている。
【００１８】
作動器機構９０（図２）は、缶容器７３を図１Ａ〜１Ｃに示す第１の非ドエル状態から図１Ｄに示すドエル状態に動かす。ドエル状態において、缶容器７３は下部ドエル室９４の底に当たり、患者が吸入する間、薬剤の放出を生じさせる。薬剤がドエル室本体８２から上方に逃げないようにするため、そして、ステム７６の大きさの変動に適合させるため、供給装置７０に対し、ドエル室本体８２の中に柔らかなシ−ルガスケット（図示しない）を設けることができる。
【００１９】
非ドエル状態において、上部ドエル室９１および下部ドエル室９４には空気が入っており、その空気は、缶容器７３を下に押すことにより、Ｔ形状の孔９５を通して逃がすことができる。弁７４の表面がドエル室９１および９４にはまり合うことにより、スライド関係が生じるが、缶容器７３を下に押したとき、それらのはめ合いのために、非ドエル状態に戻ることが妨げられる。これは、空気を押し出すことにより、ドエル室９１，９４内が真空になるからである。第１のドエル室９１と第２のドエル室９４との間の孔９５は、ドエル室本体８２の外まで延び、供給装置７０の作動に応じて空気を追い出す。さらに、上部の室９１の壁９２は断面が薄いため、それが拡がり、ある量の空気を壁９２の内側のリング状のスペ−スを通して逃がすことができる。エラストマ−フラップ、つまり一方向チェック弁９７により、それは一般にシリコンなどから作られるが、空気を孔９５を通しドエル室本体８２の外に出すことができる。
【００２０】
その上、第１のドエル室９１は一種のダッシュポットとして働き、缶容器７３およびその構成要素の動きを緩和あるいは鈍らせ、作動器機構９０による衝撃を避けることができる。
【００２１】
さてここで、図１Ｂ〜１Ｄに示す実施例に戻ると、これは図１Ａおよび図２〜４に示すものと同様であり、違うところといえば、ドエル室本体８２’（対応するが、構成が異なる部分であり、前のものの対応する符号にダッシュを付けている）である。また、この実施例では通気機構９５’があり、それは、ドエル室９１を通気するため径方向に延びる一組みの通気管１３０と、ドエル室９４を通気するための管状の孔１３２とから構成される。ドエル室本体８２’の外側の周囲には、エラストマ−のスリ−ブ弁９３がある。このスリ−ブ弁９３は、一方向チェック弁として働き、充分な柔軟性をもつため、缶容器７３をドエル状態に押し下げると、外側に拡がり、空気をドエル室９１および９４から逃がす通路を提供する。それに引き続き、スリ−ブ弁９３は、元の位置に戻って孔を閉じ、それによって、缶容器７３が休止の状態に戻るのを防ぐ真空抵抗を生じ、ドエルの期間を保つ。
【００２２】
次に、作動器機構９０をより詳しく見ると、マウスピ−ス７９と作動器機構９０（図２）のダイヤフラム室９９とを連絡する吸入管９８が、ハウジング７２の内部に構成されている。吸入管９８は、供給装置７０が作動器機構９０によって作動される状態にあるとき、供給装置７０の使用者側に空気を提供する。作動器機構９０は、ピボットピン１０２によってハウジング７２の最上部に回転可能に固定した作動器ハウジング１０１を備えている。
【００２３】
マウスピ−ス７９から連絡する吸入管９８をもつダイヤフラム室９９は、作動器ハウジング１０１の内部に構成されている。ダイヤフラム室９９の上部面は、エラストマ−ダイヤフラム１０３によって定まり、また、ダイヤフラム室９９の下部面は、缶容器作動器１０４によって定まる。その缶容器作動器１０４は、供給装置７０を使用する人の吸入に応じて缶容器７３をドエル状態に動かす作用をする。ダイヤフラム１０３は、第２のラッチ部材１０６に隣接するハウジング１０１の内部に移動可能に取り付けられている。缶容器作動器１０４は、溝付きのガイド部材１０５の中、およびハウジング１０１の内部を上下に移動可能である。作動器１０４は、始動に応じて、溝付きガイド部材１０５に案内されつつハウジング７２の上方から下方に向かって動く。作動器１０４は、まず（ａ）缶容器７３に接触し、それをドエル位置に動かし、ついで、（ｂ）弁７４から薬剤を供給し、その後、（ｃ）弁７４に次の用量の薬剤を込め、そして、（ｄ）供給装置７０を非ドエル状態に戻し、次の吸入による始動を待つ。
【００２４】
第２のラッチ部材１０６は、ハンドル（図示しない）によって供給装置７０の作動準備をすることに応じ、作動器ハウジング１０１をラッチし固定する。その状態は、治療すべき患者の吸入によって供給装置７０が作動されるまで続く。缶容器作動器１０４は、補助的に、逆さになった缶容器７３の底面１０７の上にかぶさっている。
【００２５】
ダイヤフラム１０３は弾力性のある部材であり、一般には、円の形をしている。ダイヤフラム１０３については、吸入管９８を通して吸入がなされるとき、変形することができるだけの弾性をもつことが好ましい。このダイヤフラム１０３は、通常、シリコンゴム、ネオプレン、ブナゴムなどから作られ、断面領域は薄い。ダイヤフラム１０３は、図４に示すように縁（リップ）を作動器ハウジング１０１に取り付けるようにした内部的な特徴をもって成形される。
【００２６】
図１Ａおよび２を参照して分かるように、患者が供給装置７０を使用し、マウスピ−ス７９を通して、したがって吸入管９８を通して吸入すると、ダイヤフラム室９９内のダイヤフラム１０３の下に負圧が生じる。その結果、ダイヤフラム１０３は、この負圧のために、缶容器７３の面１０７の方へ移り、作動器１０４が缶容器７３を押して下方に動き、薬剤を最後まで放出させることになる。
【００２７】
作動器ハウジング１０１、ダイヤフラム１０３およびダイヤフラム室９９については、目的に適ったものならどんなものからも作ることができる。また、ダイヤフラム１０３の寸法や特性については、装置を始動させるだけの多少の吸込みを生じるように調節したり一部変更したり（たとえば、厚さ、屈曲性、あるいは材料のタイプを）することができる。ハウジング１０１が、一般に知られた方法でそのダイヤフラムに取り付けられている。ハンドル（図示しない）は、上下方向に向いている。そのハンドル（図示しない）を下に押すことに応じて、ハウジング１０１が、第２のラッチ部材１０６によって決まった位置でロックされる。そして、作動器機構９０は、作動あるいは始動のためのリンク装置の準備ができた、始動可能状態となる。図２を参照すると、作動リンク装置は、駆動ア−ム１０８および第１のラッチ部材１０９を備えている。それら駆動ア−ム１０８と第１のラッチ部材１０９とは、２つのリンクをもつリンク機構を構成し、そのリンク機構は、駆動ア−ム１０８に加わるスプリング１１１の力によって作動される。駆動ア−ム１０８の下の部分は、ピボットピン１１２を用いて作動器ハウジング１０１に回転可能に取り付けられている。また、駆動ア−ム１０８の上の部分は、ピボットピン１１３によってラッチ部材１０９に回転可能に連結し取り付けられている。ラッチ部材１０９の下の部分は、ピボットピン１１５でハウジング１０１に連結されており、供給装置７０の作動に応じてハウジング１０１のスロット（溝）１１６の内部を水平方向に動くことができる。
【００２８】
駆動部材１１４は、その上部部分がピボットピン１１３によって駆動ア−ム１０８に回転可能に取り付けられ、また、その下部部分がピボットピン１２１によって缶容器作動器１０４に回転可能に取り付けられている。作動器機構９０が供給装置７０を始動あるいは作動させるとき、駆動ア−ム１０８には、スプリング１１１によってそれに加わるピン１１２回りの回転力が生じる。それによって、駆動部材１１４を通して一方向に動く力が缶容器作動器１０４に加わり、それを溝付きガイド部材１０５の溝に沿って缶容器７３に向けて動かす。
【００２９】
図３に示すように、供給装置７０が作動すると、缶容器作動器１０４が、ダイヤフラム室９９を構成していた部分から離れ、供給装置７０の中に空気が入るようになる。この点について、また図３に示すように、供給装置７０が作動すると、ピン１０２でハウジング７２に回転可能に取り付けてあるハウジング１０１が、第２のラッチ部材１０６から開放され、動いている缶容器作動器１０４から旋回して離れる。それによって、缶容器７３および弁７４が下方に達した後、作動状態の供給装置７０の中に空気が入り込むことができる。すでに示したように、缶容器作動器１０４は、缶容器７３の面１０７の近くに隣接し、供給装置７０が作動する前には、ダイラフラム室９９の底面と一緒になっている。
【００３０】
図１Ａを見ると、缶容器作動器１０４は、作動器機構９０によって供給装置７０が作動すると、缶容器７３の底面に接触し、缶容器７３および弁７４を第１のドエル室９１の中およびそれを通して第２のドエル室９４の中に動かす。そこで、ステム７６がノズル７７の中に完全に入り込む。ステム７６が底に達すると、弁を通して一回の摂取量の薬剤を供給する。
【００３１】
ハンドル（図示しない）によって供給装置７０を始動あるいは作動状態にすると、止め金（キ−パ）１１９が、第１のラッチ部材１０９の部分１２２が動くのを防ぐ。その止め金１１９は、ピボットピン１２１によってダイヤフラムリンク装置１２３に回転可能に取り付けられている。また、ダイヤフラムリンク装置１２３は、通常その中央部分がダイヤフラム１０３に取り付けられ、治療すべき患者が吸入することに応じて、ダイヤフラム１０３を動かして第１のラッチ部材１０９を開放するために用いる。止め金１１９、ダイヤフラムリンク装置１２３および不動のダイヤフラム１０３が、可動ハンドル（図示しない）を押したときに生じる、供給装置７０の始動あるいは作動状態のときに、第１のラッチ部材１０９の部分１２２が動くのを全面的に防ぐ。
【００３２】
ハンドルを押すと、そのハンドルは、始動部材１１７に連結し、ピン１１５を経由して第１のラッチ部材１０９の部分１２２を、ピン１１５のところの駆動旋回点に向かって押す。そして、２つのリンク系（第１のラッチ部材１０９に連結した駆動ア−ム１０８）が、第２のピボットピン１１３のところで共通の旋回点回りに折り重なり、ラッチ部材１０９の部分１２２および止め金１１９が互いにロックする。第２のラッチ部材１０６は、始動に応じてハンドルとかみ合う。可動のハンドル（図示しない）は、その後自由になり、伸びた状態に戻る。その伸びた状態では、ハンドルはそれ以上の動きをしない。
【００３３】
図１Ａおよび３を見ると、使用時、ハンドル（図示しない）の動きによって始動の用意がなされる供給装置７０は、直立状態に保持され、患者は、マウスピ−ス７９の開口８１から吸い込む。その吸込み（吸入）があると、開口８１から吸入管９８を通りダイヤフラム室９９の中に至る流路に沿って負圧が生じる。ダイヤフラム１０３は、その負圧によって作動し、缶容器７３に向かって曲がり、ダイヤフラムリンク装置１２３を通して止め金１１９を引く。それにより、第１のラッチ部材１０９の下部部分１２２をガイド部材１１７のスロット（溝）１１６に沿って動かし、止め金１１９からラッチ部材１０９の部分１２２を開放する。この引き作用、それは第１のラッチ部材１０９から垂直であるが、それがラッチのリンク装置に対し、ダイヤフラム１０３の動きに対して垂直な水平方向の動きを生じさせる。この動きの変化は、駆動ア−ム１０８に作用するスプリング１１１が原因して生じている。スプリング１１１は、駆動ア−ム１０８を作動器ハウジング１０１内部のピボットピン１１２のところの旋回点回りに回転させるように作用している。そのため、第１のラッチ部材１０９の部分１２２は、スロット（溝）１１６に沿ってスライドする。
【００３４】
駆動ア−ム１０８の回転は、駆動部材１１４に対し下方に向かう直線的な動きをさせる力に変わる。それにより、その中に含む溝付きのガイド部材１０５の溝に沿うピン１２１によって、その駆動部材１１４を缶容器７３に向けて動かす。その動きにより、缶容器作動器１０４を缶容器７３の面１０７に接触させるように動かし、缶容器７３およびその構成要素７４および７５を室９１および９４の中に動かし、患者に所定用量の薬剤を提供する。
【００３５】
缶容器７３が下部ドエル室９４の底に達すると、ステム７６が底をつき、完全に押し縮められる。この際、缶容器７３は、真空および摩擦によって所望時間の間決まった位置に保持される。その時間は、一回分の薬剤の噴霧が患者に対して完全に提供され、そしてまた、弁７４が薬剤の必要量を完全に補充、つまり再び満たす時間であり、たとえば、通常は約１０ミリセカンド（ｍｓ）から約４秒である。たとえば１００ミリセカンド（ｍｓ）の補充のドエル時間の後には、缶容器７３の弁７４の内部の弁スプリング（図示しない）が、真空および摩擦の力にゆっくりと打ち勝ち、バルブステム７６および弁７４、ならびに缶容器７０を元の位置に戻す。
【００３６】
作動器機構９０について、いろいろな変形ができることに留意されたい。たとえば、スプリング１１１をダイヤフラム１０３のすぐ下に配置し、装置の始動に応じて缶容器作動器１０４に下方に向かう軸方向の移動力を与えることができる。その際、リンク装置に対し適当な調節手段をを設けることにより、スプリングの位置を調節することができる。いわゆる当業者であれば、その他の変形についても明白であろう。
【００３７】
この発明の目的および利点について、上に述べた説明によって明らかになったであろう。好適な実施例について詳しく説明したが、この発明は、その説明によって限定されるわけではない。この発明の技術的範囲については、請求の範囲によって定まる。
【図面の簡単な説明】
【図１Ａ】  所定用量吸入装置の部分断面図であり、吸入前のロックつまり準備が完了した状態を示している。
【図１Ｂ】  図１Ａの吸入装置の代わりの実施例の部分断面図である。
【図１Ｃ】  図１Ｂの実施例の薬剤缶およびドエル室の多少拡大した部分断面図であり、上がった位置にある（非ドエル状態）形態を示している。
【図１Ｄ】  図１Ｂの実施例の薬剤缶およびドエル室の多少拡大した部分断面図であり、下がった位置にある（ドエル状態）形態を示している。
【図２】  図１Ａ〜１Ｄの供給装置（ディスペンサ−）の作動器機構の部分断面図である。
【図３】  図２の作動器機構の部分断面図であり、吸入により作動が生じた状態を示している。
【図４】  図２の作動器機構の部分断面図である。
【符号の説明】
７０  供給装置
７２  ハウジング
７３  缶容器
７４  調量供給弁
７６  バルブステム
７７  ノズル
７９  マウスピ−ス
８２  ドエル室本体
９０  作動器機構（作動器手段）
９１  上部ドエル室
９３  スリ−ブ弁
９４  下部ドエル室
９７  一方向チェック弁
９８  吸入管
９９  ダイヤフラム室
１０１  作動器ハウジング
１０３  ダイヤフラム
１０４  缶容器作動器
１０５  ガイド部材
１０６  第２のラッチ部材
１０８  駆動ア−ム
１０９  第１のラッチ部材
１１１  スプリング
１１４  駆動部材
１１６  溝
１１９  止め金
【図１Ａ】
0004810047.tif 000002
【図１Ｂ】
0004810047.tif 000003
【図１Ｃ】
0004810047.tif 000004
【図１Ｄ】
0004810047.tif 000005
【図２】
0004810047.tif 000006
【図３】
0004810047.tif 000007
【図４】
0004810047.tif 000008